(57)【要約】【課題】二次電池の交換時期を正確且つ迅速に把握することができる電力供給システムおよび二次電池の劣化診断方法を得ること。【解決手段】交流電源５０の出力を整流する整流回路１１と、整流回路１１の出力を第１の直流電圧Ｖａに降圧して負荷６０に印加する降圧電源１２、整流回路１１の出力を第１の直流電圧Ｖａよりも低い第２の直流電圧Ｖｂに変換して二次電池２を充電するバッテリチャージャ１３、二次電池２の端子電圧を計測する電圧検出部１４、二次電池２の充放電電流を計測する電流検出部１５、電圧検出部１４および電流検出部１５の検出値に基づいてバッテリチャージャの動作状態を制御する制御部１６ならびに、制御部１６に二次電池２の寿命劣化診断を指示し、寿命劣化診断の結果を表示する操作表示部２４を備えた。【選択図】図１
2016134926.tif 000002
【特許請求の範囲】
【請求項１】
バックアップ用の二次電池を備え、交流電源から供給される交流電力を直流電力に変換して負荷に供給する電力供給システムであって、
前記交流電源の出力を整流する整流回路と、
前記整流回路の出力を第１の電圧に降圧して前記負荷に印加する降圧電源と、
前記整流回路の出力を前記第１の電圧よりも低い第２の電圧に変換して前記二次電池を充電するバッテリチャージャと、
一端が前記降圧電源の出力端側に電気的に接続され、他端が前記バッテリチャージャの出力端側に電気的に接続され、前記降圧電源からの電流が前記二次電池に流れ込むのを阻止する向きに接続される一方向性素子と、
前記二次電池の端子電圧を検出する電圧検出部と、
前記二次電池の充放電電流を検出する電流検出部と、
前記電圧検出部および前記電流検出部の検出値に基づいて前記バッテリチャージャの動作状態を制御する制御部と、
前記制御部に前記二次電池の寿命劣化診断を指示し、前記寿命劣化診断の結果を表示する操作表示部と、
を備えた電力供給システム。
【請求項２】
前記制御部は、
前記電流検出部が検出した前記二次電池からの放電電流が第１の閾値以上であるか否かを判定する第１の判定処理と、
前記二次電池から前記第１の閾値以上の放電電流があったか否かを判定する第２の判定処理と、
前記電圧検出部が検出した前記二次電池の端子電圧が第２の閾値以上であるか否かを判定する第３の判定処理と、
に基づいて前記二次電池の寿命劣化診断を行う請求項１に記載の電力供給システム。
【請求項３】
前記制御部は、前記第３の判定処理を行う前に前記バッテリチャージャの動作を停止する請求項２に記載の電力供給システム。
【請求項４】
前記二次電池と前記一方向性素子との間には、前記二次電池の出力を前記一方向性素子の他端に印加するか否かを切り替えるブレーカが設けられており、
前記制御部は、前記第３の判定処理を行う前に前記ブレーカを開状態に制御する請求項３に記載の電力供給システム。
【請求項５】
前記制御部は、
前記電流検出部が検出した前記二次電池からの放電電流が第１の閾値以上であるか否かを判定する第１の判定処理と、
前記二次電池から前記第１の閾値以上の放電電流があったか否かを判定する第２の判定処理と、
前記電圧検出部が検出した前記二次電池の端子電圧が第２の閾値以上であるか否かを判定する第３の判定処理と、
前記電圧検出部が検出した前記二次電池の端子電圧が前記第２の閾値よりも大きな第３の閾値以上であるか否かを判定する第４の判定処理と、
に基づいて前記二次電池の充電を制御する請求項１に記載の電力供給システム。
【請求項６】
前記整流回路、前記降圧電源、前記バッテリチャージャ、前記一方向性素子、前記電圧検出部および前記制御部は、基板上に構成されている請求項１から５の何れか１項に記載の電力供給システム。
【請求項７】
交流電力を直流電力に変換して負荷に供給する電力供給システムに具備されるバックアップ用の二次電池の劣化診断方法であって、
前記電力供給システムには、前記二次電池を充電するバッテリチャージャ、前記二次電池の端子電圧を検出する電圧検出部、前記二次電池の充放電電流を検出する電流検出部、ならびに、前記電圧検出部および前記電流検出部の検出値に基づいて前記バッテリチャージャの動作状態を制御する制御部が設けられており、
前記制御部に前記二次電池の寿命劣化診断を指示する第１のステップと、
前記電流検出部が検出した前記二次電池からの放電電流が第１の閾値以上であるか否かを前記制御部が判定する第２のステップと、
前記二次電池から前記第１の閾値以上の放電電流があったか否かを前記制御部が判定する第３のステップと、
前記電圧検出部が検出した前記二次電池の端子電圧が第２の閾値以上であるか否かを前記制御部が判定する第４のステップと、
を含む二次電池の劣化診断方法。
【発明の詳細な説明】
【技術分野】
【０００１】
本発明は、バックアップ用の二次電池を備え、交流電源から供給される交流電力を直流電力に変換して負荷に供給する電力供給システムおよび、電力供給システムに具備されるバックアップ用の二次電池の劣化診断方法に関する。
【背景技術】
【０００２】
バックアップ用の二次電池および、二次電池に接続された充電電源部を有し、商用電源等の交流電源の出力低下時にのみ、二次電池から負荷に対して電力を供給する電力供給システムが知られている（例えば、下記特許文献１）。
【０００３】
特許文献１の電力供給システムでは、バックアップ用の二次電池としてリチウムイオン電池が例示されており、リチウムイオン電池に対する充電中のセル電圧のばらつきを防止するための電圧調整回路がリチウムイオン電池の単セル毎に並列に接続されている。電圧調整回路は、単セルの満充電電圧を検出して充電電流をバイパスし、充電時におけるリチウムイオン電池１個の個々の充電電圧のばらつきを調整している。
【先行技術文献】
【特許文献】
【０００４】
【特許文献１】特開２００６−２２３０５０号公報
【発明の概要】
【発明が解決しようとする課題】
【０００５】
しかしながら、上記特許文献１の電力供給システムでは、二次電池が寿命劣化状態にあるか否かの判定（以下「寿命劣化判定」と称する）を行うことができなかった。このため、二次電池の交換時期を正確且つ迅速に把握することができない、という問題があった。
【０００６】
本発明は、上記に鑑みてなされたものであって、二次電池の交換時期を正確且つ迅速に把握することができる電力供給システムおよび二次電池の劣化診断方法を得ることを目的とする。
【課題を解決するための手段】
【０００７】
上述した課題を解決し、目的を達成するために、本発明は、バックアップ用の二次電池を備え、交流電源から供給される交流電力を直流電力に変換して負荷に供給する電力供給システムであって、前記交流電源の出力を整流する整流回路と、前記整流回路の出力を第１の電圧に降圧して前記負荷に印加する降圧電源と、前記整流回路の出力を前記第１の電圧よりも低い第２の電圧に変換して前記二次電池を充電するバッテリチャージャと、一端が前記降圧電源の出力端側に電気的に接続され、他端が前記バッテリチャージャの出力端側に電気的に接続され、前記降圧電源からの電流が前記二次電池に流れ込むのを阻止する向きに接続される一方向性素子と、前記二次電池の端子電圧を検出する電圧検出部と、前記二次電池の充放電電流を検出する電流検出部と、前記電圧検出部および前記電流検出部の検出値に基づいて前記バッテリチャージャの動作状態を制御する制御部と、前記制御部に前記二次電池の寿命劣化診断を指示し、前記寿命劣化診断の結果を表示する操作表示部と、を備えて構成される。
【発明の効果】
【０００８】
本発明によれば、バックアップ用の二次電池の交換時期を正確且つ迅速に把握することができる、という効果を奏する。
【図面の簡単な説明】
【０００９】
【図１】実施の形態１に係る電力供給システムの一構成例を示すブロック図
【図２】図１に示した操作表示部の一例を示す概念図
【図３】二次電池として鉛蓄電池を用いた場合の端子開路電圧と容量比率との関係を示す図
【図４】実施の形態１に係る電力供給システムの制御フローを説明するフローチャート
【図５】自然放電時および微小放電時の夫々における「端子開路電圧」と「電池容量」との関係を示す図
【図６】実施の形態２に係る電力供給システムの制御フローを説明するフローチャート
【図７】実施の形態３に係る電力供給システムの制御フローを説明するフローチャート
【発明を実施するための形態】
【００１０】
以下に添付図面を参照し、本発明の実施の形態に係る電力供給システムおよび二次電池の劣化診断方法について詳細に説明する。なお、以下の実施の形態により、本発明が限定されるものではない。
【００１１】
実施の形態１．
図１は、実施の形態１に係る電力供給システムの一構成例を示すブロック図である。実施の形態１に係る電力供給システム１００は、図１に示すように、主回路１と、バックアップ用電源としての二次電池２とを備えて構成される。主回路１は、交流電源５０から供給される交流電力を直流電力に変換して直流負荷である負荷６０に供給する。二次電池２は、交流電源５０の故障等によって、交流電源５０から電力が供給されないとき（以下「停電時」と称する）には、二次電池２の出力を負荷６０に供給する。
【００１２】
主回路１は、交流電源５０の出力電圧を整流する整流回路１１と、整流回路１１の出力を第１の直流電圧Ｖａに変換して負荷６０に印加する降圧電源１２と、整流回路１１の出力を第１の直流電圧Ｖａよりも低い第２の直流電圧Ｖｂで二次電池２を充電するバッテリチャージャ１３と、二次電池２の両端に接続され、二次電池２の端子電圧を検出する電圧検出部１４と、二次電池２の充放電電流をセンシングする電流センサ１５ａおよび電流センサ１５ａのセンサ出力を使用して電流値を算出する電流算出部１５ｂからなる電流検出部１５と、バッテリチャージャ１３をオンオフ制御する制御部１６と、一端であるカソードが降圧電源１２の出力端側に電気的に接続され、他端であるアノードがバッテリチャージャ１３の出力端側に電気的に接続され、降圧電源１２からの電流が二次電池２に流れ込むのを阻止する向きに接続される分離ダイオード１７と、主回路１内の負荷である回路負荷１８と、を備えている。分離ダイオード１７の存在により、降圧電源１２の出力によって二次電池２が充電されるのが防止されると共に、二次電池２から負荷６０への放電が防止される。
【００１３】
制御部１６の内部には、電圧検出部１４および電流検出部１５が検出した検出値を保持する記憶部１６ａが設けられている。上記の構成要素のうち、電流センサ１５ａを除いた構成要素は、１枚または複数枚の基板上に搭載される。
【００１４】
主回路１の外部には、二次電池２の正極側に接続され、二次電池２の出力を分離ダイオード１７のアノードに印加するか否かを切り替えるブレーカ２２と、制御部１６に対して後述する寿命劣化診断を指示し、また、寿命劣化診断結果を表示するための操作表示部２４と、が設けられている。
【００１５】
なお、図１では、二次電池２の正極側にブレーカ２２を備える構成であるが、後述する実施の形態１に係る制御フローの場合には、ブレーカ２２を省略してもよい。
【００１６】
図２は、図１に示した操作表示部２４の一例を示す概念図である。図２において、操作表示部２４は、操作表示部２４を起動するための電源ボタン２４ａと、寿命劣化診断を行うための操作表示画面２４ｂと、電力供給システム１００の運転および停止を切り替えるための運転／停止ボタン２４ｃと、を有して成る。操作表示画面２４ｂには、二次電池２の寿命劣化診断を行うことを選択する選択ボタン２４ｂ１（“ＹＥＳ”と表記されたボタン）と、二次電池２の寿命劣化診断を行うことを選択しない非選択ボタン２４ｂ２（“ＮＯ”と表記されたボタン）と、を有する。なお、図２において、操作表示画面２４ｂは、ソフトウェア処理によって表示されるタッチパネルをイメージしているが、タッチパネルに限定されるものではなく、ハード的なボタンを配置してもよい。
【００１７】
図３は、二次電池として鉛蓄電池を用いた場合の端子開路電圧と容量比率との関係を示す図であり、図３では、容量比率が１００％のときに端子開路電圧が１３Ｖである鉛蓄電池の場合を例示している。ここで、「端子開路電圧」とは、「自然放電時における二次電池の両端電圧」である。また、「自然放電」とは、「二次電池に負荷が接続されていないときに二次電池に電流が流れる状態」を意味する。なお、本明細書では、「自然放電」という用語に加え、「微小放電」および「大電流放電」という用語も併せて使用する。「微小放電」とは、「二次電池に回路負荷１８のみが接続されているときに二次電池に自然放電時の電流よりも大きな電流が流れる状態」を意味し、「大電流放電」とは、「二次電池に負荷６０が接続されているときに微小放電時に流れる電流よりも大きな電流が二次電池に流れる状態」を意味する。また、以下、微小放電時に流れる電流を「微小放電電流」と称し、大電流放電時に流れる電流を「大放電電流」と称する。
【００１８】
図３に示すように、端子開路電圧と容量比率との間には正比例の関係がある。また、容量比率が８０％のときの端子開路電圧は約１２．７５（Ｖ）である。
【００１９】
つぎに、実施の形態１に係る電力供給システムの主回路部における要部動作について、図１から図３の図面を適宜参照して説明する。なお、以下の説明において、交流電源５０は系統ＡＣ２００Ｖであるとする。
【００２０】
系統ＡＣ２００Ｖが主回路１に印加されると、降圧電源１２およびバッテリチャージャ１３が動作を開始する。降圧電源１２からは第１の直流電圧Ｖａが出力され、バッテリチャージャ１３からは第２の直流電圧Ｖｂが出力される。ここで、降圧電源１２から出力される第１の直流電圧Ｖａの典型値は２８．４Ｖであり、バッテリチャージャ１３から出力される第２の直流電圧Ｖｂの典型値は２７．３Ｖである。
【００２１】
系統ＡＣ２００Ｖが降圧電源１２およびバッテリチャージャ１３に供給されるとき、すなわち系統ＡＣ２００Ｖが停電していないとき（以下「非停電時」と称する）、ブレーカ２２は、図１に示すように閉状態に制御される。この場合、バッテリチャージャ１３が出力する第２の直流電圧Ｖｂは、ブレーカ２２を介して二次電池２の正極に印加される。ここで、制御部１６は、バッテリチャージャ１３の出力をオン／オフ制御し、また、降圧電源１２の出力端とバッテリチャージャ１３の出力端との間には分離ダイオード１７が設けられているので、バッテリチャージャ１３の出力電力は負荷６０には供給されず、二次電池２にのみ供給されると共に、降圧電源１２の出力によって二次電池２が放電されるのを防止する。なお、二次電池２の交換時、メンテナンス時には、ブレーカ２２は開状態に制御される。
【００２２】
上記の通り、非停電時であり、且つ、降圧電源１２およびバッテリチャージャ１３が正常に動作しているとき（以下、必要に応じて「通常時」と称する）、二次電池は充電モードにある。なお、系統ＡＣ２００Ｖが停電している場合、二次電池２から負荷６０に対して大きな電流が流れる。このため、電流検出部１５の検出値により、降圧電源１２が出力されているか否かを判定することができる。
【００２３】
非停電時において、ユーザもしくはサービスマンが操作表示部２４を使用して二次電池２に対する寿命劣化診断を指令すると、指令を受けた制御部１６は、バッテリチャージャ１３の出力をオフに制御する。この制御により、二次電池２は充電モードから放電モードに移行する。降圧電源１２が動作しているとき、上述したように降圧電源の出力電圧はバッテリチャージャ１３の出力電圧よりも大きいので、二次電池２の放電先は回路負荷１８に対してのみとなる。二次電池電圧を２４Ｖとし、回路負荷１８の抵抗値を５ｋΩとすれば、微小放電時の電流である微小放電電流は５ｍＡ程度となる。すなわち、放電モードにおける二次電池２の微小放電は、数ｍＡオーダーの放電となる。
【００２４】
自然放電時における二次電池２の端子開路電圧と二次電池２の蓄電容量（以下「二次電池容量」もしくは「電池容量」と称する）との関係は、図３に例示したように公知である。よって、自然放電時における二次電池２の端子開路電圧を計測することにより、二次電池容量を推定することが可能となる。
【００２５】
ところで、図３に示した電池特性は、二次電池２に回路負荷１８および負荷６０の何れも接続されない場合、すなわち自然放電時の特性である（このとき０．５ｍＡ程度の放電があることが公知となっている）。自然放電の場合、時間の経過と共に二次電池２の端子開路電圧は緩やかに低下して行くが、「微小放電」の場合を「自然放電」の場合と同視してよいか、検討の余地が残されており、以下、この点について検討する。
【００２６】
図４は、自然放電時および微小放電時の夫々における「端子（開路）電圧」と「電池容量」との関係を示す図である。図４において、破線で引いた直線は自然放電時の特性曲線であり、グラフが表す意味は図３に示すものと同一である。一方、一点鎖線で引いた直線は微小放電時の特性曲線である。
【００２７】
ここで、二次電池２が鉛蓄電池であるものとする。鉛蓄電池の場合、電池容量が８０％を下回ると、その後の充電によっても電池容量が１００％まで回復できない、すなわち寿命劣化を起こした状態であることが知られている。
【００２８】
図４において、電池容量８０％に対応する破線部上の点での端子開路電圧は１２．５５Ｖであり、閾値Ｂ（「閾値Ｂ」については、後述のフローチャートでも説明する）で設定される。一方、一点鎖線では、端子電圧が１２．５５Ｖに対応する電池容量は、図示のように８２％であり、８０％との差異は高々２％である。これより、微小放電時に計測した二次電池２の端子電圧を端子開路電圧として判定処理を行っても大きな誤差はなく、二次電池２の容量推定を行なうことが可能である。よって、二次電池２が数ｍＡオーダーの微小放電を行ったとき、二次電池２の端子電圧が下降して閾値Ｂ以下に達していれば、二次電池２が寿命劣化を起こした状態であると判定することができる。
【００２９】
つぎに、実施の形態１に係る電力供給システムの制御フローについて説明する。図５は、実施の形態１に係る電力供給システムの制御フローを説明するフローチャートである。なお、図５では、符号の表記を省略している。
【００３０】
図５において、ユーザもしくはサービスマンが操作表示部２４を操作することで劣化診断が開始される（ステップＳ１０１）。制御部１６は、二次電池２からの放電電流が第１の閾値である閾値Ａ以上か否かを判定する第１の判定処理を行う（ステップＳ１０２）。二次電池２からの放電電流が閾値Ａ以上の場合（ステップＳ１０２，Ｙｅｓ）、時間に対する容量低下率が大きいことで寿命劣化には移行しない（その後の充電によって電池容量が１００％まで回復し得る）という二次電池の特性上、制御部１６は、寿命劣化の診断は不可であると判定し（ステップＳ１０３）、操作表示部２４に診断不可である旨を通知して（ステップＳ１０４）、処理フローを終了する。操作表示部２４では、操作表示画面２４ｂに診断不可である旨が表示され、ユーザもしくはサービスマンに報知される。
【００３１】
ステップＳ１０２の処理に戻り、二次電池２からの放電電流が閾値Ａ未満の場合（ステップＳ１０２，Ｎｏ）、制御部１６は、さらに、二次電池２から閾値Ａ以上の電流の放電があったか否かを判定する第２の判定処理を行う（ステップＳ１０５）。制御部１６の記憶部１６ａには、電圧検出部１４および電流検出部１５が検出した検出値がログとして記憶されており、閾値Ａ以上の電流の放電があったか否かを判定することができる。なお、閾値Ａは、放電電流が大放電電流を検出するのは無論のこと、微小放電の場合でも、微小放電電流の電流値が比較的大きな値であれば、当該電流値を検出するための判定値が選定される。二次電池電圧が２４Ｖの鉛蓄電池であれば、１０ｍＡ程度が想定されるが、この数値に限定されるものではない。
【００３２】
ステップＳ１０５において、二次電池２から閾値Ａ以上の放電がなかった場合には（ステップＳ１０５，Ｎｏ）、バッテリチャージャ１３を停止し（ステップＳ１０６）、ステップＳ１０９に移行する。一方、二次電池２から閾値Ａ以上の放電があった場合（ステップＳ１０５，Ｙｅｓ）、制御部１６は、さらに、バッテリチャージャ１３による設定時間の充電が完了したか否かを判定する（ステップＳ１０７）。設定時間の充電が完了していない場合には（ステップＳ１０７，Ｎｏ）、ステップＳ１０７の処理を繰り返す。設定時間の充電が完了している場合には（ステップＳ１０７，Ｙｅｓ）、バッテリチャージャ１３を停止し（ステップＳ１０８）、ステップＳ１０９に移行する。
【００３３】
制御部１６は、二次電池２の端子電圧が第２の閾値である閾値Ｂ以上であるか否かを判定する第３の判定処理を行う（ステップＳ１０９）。二次電池２の寿命劣化診断の１つとして、容量低下診断があることは上述した通りである。図４を用いた説明では、電池容量が８０％を下回ったときに、二次電池２が寿命劣化を起こした状態であると判定することとしていた。図５の制御フローは、この手法を利用するものであり、閾値Ｂとしては、二次電池２の電池容量が８０％に相当する端子開路電圧が設定される。
【００３４】
図５のフローに戻り、ステップＳ１０９において、二次電池２の端子電圧が閾値Ｂ未満の場合には（ステップＳ１０９，Ｎｏ）、二次電池２が寿命劣化したと判定し（ステップＳ１１０）、操作表示部２４に交換を促す旨を通知して（ステップＳ１１１）、処理フローを終了する。操作表示部２４では、操作表示画面２４ｂに交換を促す旨が表示され、ユーザもしくはサービスマンに報知される。一方、二次電池２の端子電圧が閾値Ｂ以上の場合には（ステップＳ１０９，Ｙｅｓ）、二次電池２の寿命が正常であると判定し（ステップＳ１１２）、操作表示部２４に正常である旨を通知し（ステップＳ１１３）、バッテリチャージャ１３を動作させて（ステップＳ１１４）、処理フローを終了する。操作表示部２４では、操作表示画面２４ｂに正常である旨が表示され、ユーザもしくはサービスマンに報知される。
【００３５】
以上説明したように、実施の形態１に係る電力供給システムおよび寿命劣化診断方法によれば、表示操作部を介した寿命劣化診断の指令によってバッテリチャージャの出力をオフに制御した状態で二次電池の端子電圧を計測し、計測した電圧に基づいて寿命劣化診断を行うこととしたので、二次電池の寿命劣化診断を迅速に行うことができ、二次電池の交換時期を正確且つ迅速に把握することが可能となる。
【００３６】
また、実施の形態１に係る電力供給システムおよび寿命劣化診断方法では、寿命劣化診断を行うときのみ、バッテリチャージャを停止させるので、バッテリチャージャの停止期間を必要最小限に留めることができる。このため、寿命劣化診断の頻度が多くなっても、満充電状態を維持することができ、停電が起きた際の待機時間を長くすることが可能となる。
【００３７】
さらに、実施の形態１に係る電力供給システムおよび寿命劣化診断方法によれば、ユーザもしくはサービスマンが、寿命劣化診断の指示を操作表示部を介して行うことができるので、二次電池の交換が必要なときに確実に交換することが可能となる。
【００３８】
実施の形態２．
図６は、実施の形態２に係る電力供給システムの制御フローを説明するフローチャートである。なお、実施の形態２に係る電力供給システムの構成は、図１に示した実施の形態１に係る電力供給システムの構成と同一である。実施の形態２に係る電力供給システムの実施の形態１との相違点は一部の制御フローにあり、実施の形態２では、ブレーカ２２を制御対象に含めている点が相違点である。
【００３９】
つぎに、実施の形態２に係る電力供給システムの制御フローについて説明する。なお、図４に示した実施の形態１に係る制御フローの処理と同一もしくは同等の処理については同一符号を付して示し、説明の簡略化のため、重複する説明は適宜省略する。
【００４０】
図６において、ステップＳ１０１からステップＳ１０８までの処理は、図４に示す実施の形態１に係る制御フローと同一もしくは同等の処理であり、説明を省略する。なお、ステップＳ１０９の直前の処理であるステップＳ１０６またはステップＳ１０８では、バッテリチャージャ１３を停止する処理が行われている。
【００４１】
バッテリチャージャ１３の停止後、制御部１６は、ブレーカ２２をオフ、すなわち開状態に制御する（ステップＳ２０１）。ブレーカ２２を開状態に制御した後、制御部１６は、二次電池２の端子電圧が閾値Ｂ以上であるか否かを判定するステップＳ１０９の処理に移行する。ステップＳ１０９からステップＳ１１３までの処理は、図４に示す実施の形態１に係る制御フローと同一もしくは同等の処理であり、説明を省略する。
【００４２】
制御部１６は、操作表示部２４に二次電池２が正常である旨を通知した後（ステップＳ１１３）、ブレーカ２２をオン、すなわち閉状態に制御する（ステップＳ２０２）。ブレーカ２２を閉状態に制御した後、制御部１６は、バッテリチャージャ１３の動作を再開するステップＳ１１４の処理に移行し、その後、処理フローを終了する。
【００４３】
ステップＳ２０１において、ブレーカ２２をオフに制御するのは、二次電池２から回路負荷１８に流れる微少電流をゼロとするためである。すなわち、実施の形態２は、二次電池２を微小放電させず自然放電での寿命劣化診断を実行する処理フローを開示するものである。なお、ブレーカ２２をオフに制御することにより、降圧電源１２の動作の有無に関わらず二次電池２からの放電は行なわれなくなるため、電流検出部１５による電流計測は不要である。
【００４４】
実施の形態２に係る電力供給システムによれば、寿命劣化診断時に二次電池２からの放電電流をほぼゼロにすることができるので、実施の形態１に比して、より精度の高い容量推定、すなわち、より精度の高い寿命劣化診断を行うことが可能となる。
【００４５】
実施の形態３．
図７は、実施の形態３に係る電力供給システムの制御フローを説明するフローチャートである。なお、実施の形態３に係る電力供給システムの構成は、図１に示した実施の形態１に係る電力供給システムの構成と同一である。実施の形態３に係る制御フローは、バッテリチャージャ１３の動作を効果的に制御する制御フローを開示するものである。なお、実施の形態３の制御フローは、実施の形態１，２の制御フローと併用可能である。
【００４６】
つぎに、実施の形態３に係る電力供給システムの制御フローについて、図１および図７の図面を参照して説明する。図７の制御フローが開始されるとき、バッテリチャージャ１３は動作中であり、バッテリチャージャ１３からは、第１の直流電圧Ｖａよりも小さい第２の直流電圧Ｖｂが出力されている。制御部１６は、二次電池２からの放電電流が閾値Ａ以上か否かを判定する第１の判定処理を行う（ステップＳ３０１）。二次電池２からの放電電流が閾値Ａ以上の場合には（ステップＳ３０１，Ｙｅｓ）、ステップＳ３０１の処理を繰り返す。一方、二次電池２からの放電電流が閾値Ａ未満の場合（ステップＳ３０１，Ｎｏ）、制御部１６は、バッテリチャージャ１３を停止して（ステップＳ３０２）、さらに、二次電池２から閾値Ａ以上の電流の放電があったか否かを判定する第２の判定処理を行う（ステップＳ３０３）。
【００４７】
ステップＳ３０３において、二次電池２から閾値Ａ以上の放電がなかった場合には（ステップＳ３０３，Ｎｏ）、ステップＳ３０７に移行する。一方、二次電池２から閾値Ａ以上の放電があった場合（ステップＳ３０３，Ｙｅｓ）、制御部１６は、バッテリチャージャ１３を動作させる（ステップＳ３０４）。バッテリチャージャ１３を動作させた後、制御部１６は、バッテリチャージャ１３による設定時間の充電が完了したか否かを判定する（ステップＳ３０５）。設定時間の充電が完了していない場合には（ステップＳ３０５，Ｎｏ）、ステップＳ３０５の処理を繰り返す。設定時間の充電が完了している場合には（ステップＳ３０５，Ｙｅｓ）、バッテリチャージャ１３を再停止し（ステップＳ３０６）、ステップＳ３０７に移行する。
【００４８】
制御部１６は、二次電池２の端子電圧が第３の閾値である閾値Ｃ１以上であるか否かを判定する第３の判定処理を行う（ステップＳ３０７）。ここで、閾値Ｃ１は、実施の形態１，２で使用した閾値Ｂとの間で、閾値Ｃ１＞閾値Ｂという関係がある。二次電池２の端子電圧が閾値Ｃ１以上の場合（ステップＳ３０７，Ｙｅｓ）、バッテリチャージャ１３の停止を継続し（ステップＳ３０８）、ステップＳ３０７の処理に戻る。すなわち、ステップＳ３０７およびステップＳ３０８の処理によって、端子電圧が閾値Ｃ１未満になるまでの間、バッテリチャージャ１３の停止が継続される。
【００４９】
端子電圧が閾値Ｃ１未満の場合（ステップＳ３０７，Ｎｏ）、制御部１６は、バッテリチャージャ１３を一定時間動作させ（ステップＳ３０９）、二次電池２を充電する。一定時間は、３０分でもよいし、１時間でもよい。バッテリチャージャ１３を一定時間動作させた後、制御部１６は、二次電池２の端子電圧が第４の閾値である閾値Ｃ２以上であるか否かを判定する第４の判定処理を行う（ステップＳ３１０）。ここで、閾値Ｃ２は、ステップＳ３０７の判定処理で使用する閾値Ｃ１との間で、閾値Ｃ２＞閾値Ｃ１という関係がある。二次電池２の端子電圧が閾値Ｃ２以上の場合（ステップＳ３１０，Ｙｅｓ）、ステップＳ３０８の処理に移行して、以後、ステップＳ３０７およびステップＳ３０８の処理を繰り返す。すなわち、二次電池２の端子電圧が閾値Ｃ２以上の場合には、二次電池２の端子電圧が閾値Ｃ１未満になるまで、バッテリチャージャ１３を停止し続ける。二次電池２の端子電圧が閾値Ｃ２未満の場合には（ステップＳ３１０，Ｎｏ）、ステップＳ３１０の処理を継続する。すなわち、ステップＳ３１０の処理では、バッテリチャージャ１３が動作中であるため、二次電池２の端子電圧が閾値Ｃ２以上になるまでの間、バッテリチャージャ１３によって二次電池２への充電が継続される。
【００５０】
また、実施の形態３に係る電力供給システムによれば、二次電池２の端子電圧が第３の閾値である閾値Ｃ１以上、且つ、第３の閾値よりも大きい第４の閾値である閾値Ｃ２未満となるように、バッテリチャージャ１３を動作させ、これらの範囲外ではバッテリチャージャ１３を非動作に制御しているので、二次電池２に対する不要な充電を防止して、システム全体をより省エネルギー化することが可能となる。
【００５１】
なお、以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５２】
１  主回路、２  二次電池、１１  整流回路、１２  降圧電源、１３  バッテリチャージャ、１４  電圧検出部、１５  電流検出部、１５ａ  電流センサ、１５ｂ  電流算出部、１６  制御部、１６ａ  記憶部、１７  分離ダイオード、１８  回路負荷、２２  ブレーカ、２４  操作表示部、２４ａ  電源ボタン、２４ｂ  操作表示画面、２４ｂ１  選択ボタン、２４ｂ２  非選択ボタン、２４ｃ  運転／停止ボタン、５０  交流電源、６０  負荷、１００  電力供給システム。
【図１】
2016134926.tif 000003
【図２】
2016134926.tif 000004
【図３】
2016134926.tif 000005
【図４】
2016134926.tif 000006
【図５】
2016134926.tif 000007
【図６】
2016134926.tif 000008
【図７】
2016134926.tif 000009